(57)【要約】【課題】発光モジュール１０から発生する光の色ムラを少なくする。【解決手段】発光モジュール１０は、複数の青色ＬＥＤ１２１と、青色ＬＥＤ１２１とは異なる色で発光する複数の赤色ＬＥＤ１２２と、を具備する。複数の青色ＬＥＤ１２１および複数の赤色ＬＥＤ１２２は、予め定められた複数の列に並べて基板上に配置されている。複数の青色ＬＥＤ１２１のそれぞれは、複数の列のそれぞれにおいて、隣接して配置される数が、予め定められた数以下となるように並べられている。複数の列の中には、青色ＬＥＤ１２１が隣接して並べられている数が、他の列と異なる列が存在する。【選択図】図４
2015050205.tif 000002
【特許請求の範囲】
【請求項１】
複数の第一の発光素子と；
前記第一の発光素子とは異なる色で発光する複数の第二の発光素子と；
を具備し、
前記複数の第一の発光素子および前記複数の第二の発光素子は、予め定められた複数の列に並べて基板上に配置されており、
前記複数の第一の発光素子のそれぞれは、前記複数の列のそれぞれにおいて、隣接して配置される数が、予め定められた数以下となるように並べられており、
前記複数の列の中には、前記第一の発光素子が隣接して並べられている数が、他の列と異なる列が存在する発光モジュール。
【請求項２】
前記複数の第一の発光素子および前記複数の第二の発光素子は、
前記基板上の複数の領域のそれぞれに配置されており、
それぞれの前記領域間において、配置される前記第一の発光素子および前記第二の発光素子の数が同数であり、
それぞれの前記領域間で、前記複数の第一の発光素子および前記複数の第二の発光素子が同じ配置で並べられている請求項１に記載の発光モジュール。
【請求項３】
それぞれの前記領域内の前記複数の第一の発光素子および前記複数の第二の発光素子は、電気的に直列に接続されている請求項２に記載の発光モジュール。
【請求項４】
それぞれの前記領域内には、直列に連続して接続されている前記複数の第一の発光素子からなる発光素子群が複数存在し、
前記複数の発光素子群の中には、連続して接続されている前記複数の第一の発光素子の数が異なる発光素子群が存在する請求項３に記載の発光モジュール。
【請求項５】
前記基板上に設けられ、前記複数の第一の発光素子および前記複数の第二の発光素子のそれぞれに電力を供給する配線パターンと；
前記複数の第一の発光素子および前記複数の第二の発光素子を覆うように形成された封止体と；
前記封止体を囲む堰止め部材と；
をさらに具備し、
前記堰止め部材の少なくとも一部は、
前記配線パターン上に配設されている請求項１から４のいずれか一項に記載の発光モジュール。
【請求項６】
請求項１から５のいずれか一項に記載の発光モジュールと；
前記発光モジュールの電源を制御する電源制御部と；
を具備する照明装置。
【発明の詳細な説明】
【技術分野】
【０００１】
本発明の実施形態は、発光モジュールおよび照明装置に関する。
【背景技術】
【０００２】
近年、ＬＥＤ（Light  Emitting  Diode）を光源とする照明装置が普及しつつある。このような照明装置として、発光色の異なる複数種類のＬＥＤを搭載するものが知られている。このような照明装置では、各ＬＥＤの発光色が混在した色の光が照射される。
【０００３】
ところで、発光色の異なる複数種類のＬＥＤを搭載する照明装置では、異なる色の光が混ざり合わないことがあり、照明面に色ムラが発生する場合がある。
【先行技術文献】
【特許文献】
【０００４】
【特許文献１】特開２０１２−２２７２４９号公報
【発明の概要】
【発明が解決しようとする課題】
【０００５】
本発明が解決しようとする課題は、照明面から発生する光の色ムラを少なくすることができる発光モジュールおよび照明装置を提供することである。
【課題を解決するための手段】
【０００６】
実施形態に係る発光モジュールは、複数の第一の発光素子と、前記第一の発光素子とは異なる色で発光する複数の第二の発光素子と、を具備する。前記複数の第一の発光素子および前記複数の第二の発光素子は、予め定められた複数の列に並べて基板上に配置されている。前記複数の第一の発光素子のそれぞれは、前記複数の列のそれぞれにおいて、隣接して配置される数が、予め定められた数以下となるように並べられている。前記複数の列の中には、前記第一の発光素子が隣接して並べられている数が、他の列と異なる列が存在する。
【発明の効果】
【０００７】
本発明によれば、照明面から発生する光の色ムラを少なくすることが期待できる。
【図面の簡単な説明】
【０００８】
【図１】図１は、実施形態に係る発光モジュールを装着した照明装置の構成の一例を示す図である。
【図２】図２は、実施形態に係る発光モジュールの構成の一例を示す図である。
【図３】図３は、実施形態に係る発光モジュールの電気配線の一例を示す図である。
【図４】図４は、実施形態に係る青色ＬＥＤおよび赤色ＬＥＤの配列を説明するための概念図である。
【図５】図５は、実施形態に係る発光モジュールが発する光の放射方向を説明するための概念図である。
【図６】図６は、実施形態に係る発光モジュールが発する光の放射方向を説明するための概念図である。
【発明を実施するための形態】
【０００９】
以下で説明する実施形態に係る発光モジュールは、複数の第一の発光素子である複数の青色ＬＥＤと、青色ＬＥＤとは異なる色で発光する複数の第二の発光素子である複数の赤色ＬＥＤと、を具備する。複数の青色ＬＥＤおよび複数の赤色ＬＥＤは、予め定められた複数の列に並べて基板上に配置されている。複数の青色ＬＥＤのそれぞれは、複数の列のそれぞれにおいて、隣接して配置される数が、予め定められた数以下となるように並べられている。複数の列の中には、青色ＬＥＤが隣接して並べられている数が、他の列と異なる列が存在する。このように、青色ＬＥＤと赤色ＬＥＤとを不規則に並べることで、発光モジュールが発する光の色むらを少なくすることができる。
【００１０】
また、以下で説明する実施形態に係る発光モジュールにおいて、複数の青色ＬＥＤおよび複数の赤色ＬＥＤは、基板上の複数の領域のそれぞれに配置されており、それぞれの領域間において、配置される青色ＬＥＤおよび赤色ＬＥＤの数が同数であってもよい。また、それぞれの領域間で、複数の青色ＬＥＤおよび複数の赤色ＬＥＤが同じ配置で並べられていてもよい。それぞれの領域で、複数の青色ＬＥＤおよび複数の赤色ＬＥＤが同じ配列となっていることにより、発光モジュールの製造が容易になり、製造コストを削減することができる。
【００１１】
また、以下で説明する実施形態に係る発光モジュールにおいて、それぞれの領域内の複数の青色ＬＥＤおよび複数の赤色ＬＥＤは、電気的に直列に接続されていてもよい。
【００１２】
また、以下で説明する実施形態に係る発光モジュールにおいて、それぞれの領域内には、直列に連続して接続されている複数の青色ＬＥＤからなる発光素子群が複数存在し、複数の発光素子群の中には、連続して接続されている複数の青色ＬＥＤの数が異なる発光素子群が存在してもよい。これにより、直列に接続された複数の青色ＬＥＤおよび複数の赤色ＬＥＤを、それぞれの領域に配置することで、複数の青色ＬＥＤおよび複数の赤色ＬＥＤが全体として不規則に配置された発光モジュールを容易に作成することができる。
【００１３】
また、以下で説明する実施形態に係る発光モジュールは、基板上に設けられ、複数の青色ＬＥＤおよび複数の赤色ＬＥＤのそれぞれに電力を供給する配線パターンと、複数の青色ＬＥＤおよび複数の赤色ＬＥＤを覆うように形成された封止体である樹脂と、樹脂を囲む堰止め部材と、をさらに具備してもよい。また、堰止め部材の少なくとも一部は、配線パターン上に配設されていてもよい。これにより、赤色ＬＥＤが発光モジュールの端に配置された場合でも、赤色ＬＥＤが発した光が、堰止め部材の内壁で反射して外部へ放射されるので、発光モジュールは、赤色ＬＥＤの光を効率よく外部へ放射することができる。
【００１４】
また、以下で説明する実施形態に係る照明装置は、上記発光モジュールと、発光モジュールの電源を制御する電源制御部である制御部と、を具備してもよい。
【００１５】
以下、図面を参照して、実施形態に係る発光モジュールおよび照明装置を説明する。なお、実施形態において同一の機能を有する構成には同一の符号を付し、重複する説明は省略する。また、以下の実施形態で説明する発光モジュールおよび照明装置は、一例を示すに過ぎず、本発明を限定するものではない。また、以下の実施形態は、矛盾しない範囲内で適宜組みあわせても良い。
【００１６】
［照明装置の構成］
図１は、実施形態に係る発光モジュールを装着した照明装置の構成の一例を示す図である。図１に示すように、本実施形態に係る照明装置１は、発光モジュール１０と、本体１１と、口金部材１２と、アイレット部１３と、カバー１４と、制御部１５と、電気配線１６ａと、電気配線１６ｂとを有する。発光モジュール１０は、基板１１０を有する。基板１１０は、低熱伝導率のセラミックス、例えば、アルミナや、窒化ケイ素や、酸化ケイ素や、アルミニウムなどにより形成され、本体１１の上面１１ａに配置される。
【００１７】
本体１１は、熱伝導性の高い金属、例えば、アルミニウム等により、横断面が略円の円柱状に形成される。また、本体１１の一端には口金部材１２が取り付けられ、本体１１の他端にはカバー１４が取り付けられる。また、本体１１は、外周面が一端から他端に向かう方向に順次径が大きくなる略円錐状のテーパー面をなすように形成される。
【００１８】
また、本体１１は、外観がミニクリプトン電球におけるネック部のシルエットに近似する形状に形成される。なお、本体１１の外周面には、一端から他端に向かい放射状に突出する図示しない多数の放熱フィンが一体形成される。
【００１９】
口金部材１２は、例えば、エジソンタイプのＥ形口金である。また、口金部材１２は、ネジ山を備えた銅板製の筒状のシェルを有する。また、口金部材１２は、シェル下端の頂部に電気絶縁部を介して設けられた導電性のアイレット部１３を有する。シェルの開口部は、本体１１の一端の開口部と電気的に絶縁して固定される。
【００２０】
シェルおよびアイレット部１３は、制御部１５における図示しない回路基板の電力入力端子から導出された入力線が接続される。このような口金部材１２は、例えば、天井等に設けられたソケットに差し込まれることで、商用電源から供給される電力を制御部１５に供給する。
【００２１】
カバー１４は、例えば、乳白色のポリカーボネートにより形成される。また、カバー１４は、一端に開口を備えるミニクリプトン電球のシルエットに近似させた滑らかな曲面状に形成される。また、カバー１４は、発光モジュール１０の発光面を覆うように開口端部が本体１１に嵌め込まれて固定される。なお、カバー１４を本体１１に固定する方法は、接着、嵌合、螺合、係止等、何れの方法であってもよい。
【００２２】
制御部１５は、基板１１０上に設けられた発光モジュール１０に電力を供給し、発光モジュール１０の点灯および消灯を制御する。制御部１５は、外部と電気的に絶縁するように収納された制御回路を有する。制御部１５は、制御回路による制御により交流電圧を直流電圧に変換し、変換した直流電圧を基板１１０上の発光モジュール１０に印加する。また、制御部１５の制御回路の出力端子には、基板１１０上の発光モジュール１０に給電するための電気配線１６ａおよび１６ｂが接続される。
【００２３】
電気配線１６ａおよび１６ｂは、本体１１に形成された図示しない貫通孔および図示しないガイド溝を介して本体１１の他端の開口部に導出される。電気配線１６ａおよび１６ｂの先端部分は、絶縁被覆が剥離され、基板１１０上に配置された後述のコネクタ１６０に接続される。
【００２４】
このようにして、制御部１５は、シェルおよびアイレット部１３を介して入力された電力を、電気配線１６ａおよび１６ｂを介して基板１１０上の発光モジュール１０に供給する。そして、制御部１５は、発光モジュール１０に供給した電力を、電気配線１６ａおよび１６ｂを介して回収する。
【００２５】
［発光モジュールの構成］
図２は、実施形態に係る発光モジュールの構成の一例を示す図である。図２は、図１において、矢印Ａ方向から見た場合の発光モジュール１０の構成の一例を示す上面図である。図２に示すように、基板１１０の配置面１１０ａには、複数の青色ＬＥＤ１２１および複数の赤色ＬＥＤ１２２が配置されている。
【００２６】
それぞれの青色ＬＥＤ１２１は、ピーク波長が、例えば４４５から４６５ｎｍの範囲内の青色系の光を発する発光素子である。また、それぞれの赤色ＬＥＤ１２２は、ピーク波長が、例えば５９０から６４０ｎｍの範囲内の赤色系の光を発する発光素子である。
【００２７】
なお、図２において、複数の青色ＬＥＤ１２１のうち１個の青色ＬＥＤに参照符号「１２１」を付したが、同様の白色の四角形状の部材は青色ＬＥＤ１２１に該当する。また、図２において、複数の赤色ＬＥＤ１２２のうち１個の赤色ＬＥＤに参照符号「１２２」を付したが、同様の黒色の四角形状の部材は赤色ＬＥＤ１２２に該当する。
【００２８】
基板１１０の配置面１１０ａには、青色ＬＥＤ１２１および赤色ＬＥＤ１２２を囲むように、環状の堰止め部材１３０が配置される。環状の堰止め部材１３０の少なくとも内壁は、反射率の高い色（例えば白色）の部材で形成されるか、あるいは、反射率の高い色の塗料が塗布される。堰止め部材１３０の内壁と基板１１０の配置面１１０ａとで形成される凹部には蛍光体を含む樹脂が充填されている。
【００２９】
樹脂としては、例えば、エポキシ樹脂、ユリア樹脂、シリコーン樹脂などの拡散性の高い透明樹脂に蛍光体が添加されたものが用いられる。それぞれの青色ＬＥＤ１２１および赤色ＬＥＤ１２２は、このような蛍光体を含む樹脂により上部から全面的に被覆される。
【００３０】
樹脂に添加される蛍光体は、青色ＬＥＤ１２１が発した青色系の光によって励起されて、青色ＬＥＤ１２１が発する光の色とは異なる色の光を放射する。本実施形態では、樹脂に、青色ＬＥＤ１２１が発する青色系の光によって励起され、青色系の光に対し補色の関係にある黄色系の光（ピーク波長が、例えば５４０から５７０ｎｍ）を放射する黄色蛍光体が添加されている。
【００３１】
これにより、発光モジュール１０は、青色ＬＥＤ１２１が発した青色系の光と、黄色蛍光体が放射する黄色系の光とで、全体として白色光を放射することができる。なお、樹脂には、黄色系の蛍光体の他に、青色ＬＥＤ１２１が発する光によって励起されて緑色系の光を発する緑色蛍光体が添加されていてもよい。
【００３２】
基板１１０の配置面１１０ａ上には、配線パターン１５１および１５２が形成されている。配線パターン１５１および１５２は、基板１１０上にプリントされた電気伝導体である。配線パターン１５１の一端および配線パターン１５２の一端は、基板１１０に設けられたコネクタ１６０に接続されている。
【００３３】
また、図２に示すように、配線パターン１５１の他端および配線パターン１５２の他端は、基板１１０の配置面１１０ａ上に、略平行の直線状に形成されている。配線パターン１５１の他端の少なくとも一部および配線パターン１５２の他端の少なくとも一部は、基板１１０の配置面１１０ａと、堰止め部材１３０との間に配置される。
【００３４】
［発光モジュール内の配線］
図３は、実施形態に係る発光モジュールの電気配線の一例を示す図である。複数の青色ＬＥＤ１２１および複数の赤色ＬＥＤ１２２は、図３に示すように、基板１１０上の複数の領域１８ａ〜１８ｃ（図３の例では３つの領域）のそれぞれに配置されている。それぞれの領域１８ａ〜１８ｃ内において、複数の青色ＬＥＤ１２１および複数の赤色ＬＥＤ１２２は、ボンディングワイヤ１７２により直列に接続されている。
【００３５】
それぞれの領域１８ａ〜１８ｃにおいて、直列に接続された複数の青色ＬＥＤ１２１および複数の赤色ＬＥＤ１２２の一端は、ボンディングワイヤ１７１により、直線状に形成された配線パターン１５１の他端に接続されている。また、直列に接続された複数の青色ＬＥＤ１２１および複数の赤色ＬＥＤ１２２の他端は、ボンディングワイヤ１７１により、直線状に形成された配線パターン１５２の他端に接続されている。
【００３６】
各領域１８ａ〜１８ｃ内において、青色ＬＥＤ１２１および赤色ＬＥＤ１２２は、基板１１０の配置面１１０ａ上に所定の配列で並べて配置されている。図３の例では、青色ＬＥＤ１２１および赤色ＬＥＤ１２２は、基板１１０の配置面１１０ａ上に格子状の配列で並べて配置されている。
【００３７】
複数の青色ＬＥＤ１２１および複数の赤色ＬＥＤ１２２は、基板１１０の配置面１１０ａ上に並べて配置された状態において、青色ＬＥＤ１２１および赤色ＬＥＤ１２２のうち、同じ種類のＬＥＤが連続する数が、それぞれの列において所定数以内（図３の例では９個以内）となるように並べられている。
【００３８】
また、それぞれの列では、青色ＬＥＤ１２１および赤色ＬＥＤ１２２のうち、同じ種類のＬＥＤが連続する数が、所定数以内の範囲で不規則となるように並べられている。そのため、複数の列の中には、青色ＬＥＤ１２１が隣接して並べられている数が、他の列と異なる列が存在している。
【００３９】
また、基板１１０の配置面１１０ａ上の複数の領域１８間においても、青色ＬＥＤ１２１および赤色ＬＥＤ１２２は、青色ＬＥＤ１２１および赤色ＬＥＤ１２２のうち、同じ種類のＬＥＤが連続する数が、所定数以内で不規則となるように並べられている。
【００４０】
また、それぞれの領域１８ａ〜１８ｃでは、図３に示すように、直列に接続されている複数の青色ＬＥＤ１２１および複数の赤色ＬＥＤ１２２が、配線パターン１５１の直線状の部分に沿って、所定数毎（図３の例では３個毎）に折り返されながら、配線パターン１５１から配線パターン１５２へ向かって、ミアンダ状に蛇行して配置されている。
【００４１】
また、それぞれの領域１８ａ〜１８ｃにおいて直列に接続されている複数の青色ＬＥＤ１２１および複数の赤色ＬＥＤ１２２では、直列に連続して接続されている複数の青色ＬＥＤ１２１からなる発光素子群１７３が複数存在し、複数の発光素子群１７３の中には、連続して接続されている複数の青色ＬＥＤ１２１の数が異なる発光素子群１７３が存在する。
【００４２】
例えば、図３の例では、領域１８ｃにおいて直列に連続して接続されている複数の青色ＬＥＤ１２１からなる発光素子群１７３ａおよび発光素子群１７３ｂ等が存在している。発光素子群１７３ａにおいて直列に連続して接続されている青色ＬＥＤ１２１の個数は４個である。発光素子群１７３ｂにおいて直列に連続して接続されている青色ＬＥＤ１２１の個数は３個である。発光素子群１７３ａと発光素子群１７３ｂとでは、直列に連続して接続されている青色ＬＥＤ１２１の個数が異なっている。
【００４３】
また、それぞれの領域１８ａ〜１８ｃ間では、複数の青色ＬＥＤ１２１および複数の赤色ＬＥＤ１２２は、同一の配置となっている。そのため、１つの領域１８における配置で、複数の青色ＬＥＤ１２１および複数の赤色ＬＥＤ１２２を基板１１０上に複数並べることで、発光モジュール１０を作成することができる。これにより、発光モジュール１０の製造コストを削減することができる。
【００４４】
また、それぞれの領域１８ａ〜１８ｃ内および領域１８ａ〜１８ｃ間で、同じ種類のＬＥＤが連続する数が、所定数の範囲内で不規則になるように配置されているため、発光モジュール１０全体では、複数の青色ＬＥＤ１２１および複数の赤色ＬＥＤ１２２が不規則に配置されている。これにより、発光モジュール１０は、複数の青色ＬＥＤ１２１および複数の赤色ＬＥＤ１２２が発する異なる色の光による色むらを少なくすることができる。
【００４５】
また、それぞれの領域１８ａ〜１８ｃにおいて、直列に連続して接続されている青色ＬＥＤ１２１の個数が異なる部分が存在する。これにより、直列に接続されている複数の青色ＬＥＤ１２１および複数の赤色ＬＥＤ１２２を、ミアンダ状に蛇行させて配置することで、不規則な配置を容易に実現することができる。
【００４６】
［青色ＬＥＤおよび赤色ＬＥＤの配置］
図４は、実施形態に係る青色ＬＥＤおよび赤色ＬＥＤの配列を説明するための概念図である。本実施形態における青色ＬＥＤ１２１および赤色ＬＥＤ１２２は、例えば図４に示すように、基板１１０の配置面１１０ａ上に格子状の配列で並べて配置されている。なお、青色ＬＥＤ１２１および赤色ＬＥＤ１２２の配置は、格子状以外にも、放射状、同心円状、またはこれらの組み合わせの配置であってもよい。
【００４７】
例えば、図４の左右方向に並べて配置されている列１９２では、連続して配置されている青色ＬＥＤ１２１の個数が９個であるのに対し、同じく図４の左右方向に並べて配置されている列１９３では、連続して配置されている青色ＬＥＤ１２１の個数が２個となっている。
【００４８】
また、例えば、図３の上下方向に並べて配置されている列１９０では、連続して配置されている青色ＬＥＤ１２１の個数が１個、２個、または３個であるのに対し、同じく図３の上下方向に並べて配置されている列１９１では、連続して配置されている青色ＬＥＤ１２１の個数が２個または３個となっている。さらに、列１９０と列１９１とでは、同じ数の青色ＬＥＤ１２１が連続して配置されている場所が異なっている。
【００４９】
このように、基板１１０の配置面１１０ａ上に、複数の青色ＬＥＤ１２１および複数の赤色ＬＥＤ１２２が不規則に配置されているため、発光モジュール１０全体では、複数の青色ＬＥＤ１２１および複数の赤色ＬＥＤ１２２が発する異なる色の光による色むらを少なくすることができる。
【００５０】
［赤色ＬＥＤと堰止め部材との位置関係］
図５は、実施形態に係る発光モジュールが発する光の放射方向を説明するための概念図である。図５は、図２のＢ−Ｂ断面の一部を拡大したものである。樹脂１４０には、黄色蛍光体１４１が含まれている。青色ＬＥＤ１２１は、青色系の光を発する。黄色蛍光体１４１は、青色ＬＥＤ１２１の光により励起されて、黄色系の光を発する。青色ＬＥＤ１２１が発する青色系の光と、黄色蛍光体１４１が発する黄色系の光とで、発光モジュール１０は、全体として白色光を発する。
【００５１】
また、赤色ＬＥＤ１２２は赤色系の光を発する。赤色ＬＥＤ１２２が発する赤色系の光により、発光モジュール１０は、白色光の演色性を向上させることができる。
【００５２】
ここで、青色ＬＥＤ１２１および赤色ＬＥＤ１２２は、指向性が強い光を発する。しかし、青色ＬＥＤ１２１が発する光は、その一部が黄色蛍光体１４１によって拡散されるため、発光モジュール１０の外部へ放射される際には、指向性が弱くなる。
【００５３】
一方、赤色ＬＥＤ１２２が発する光は、黄色蛍光体１４１ではほとんど拡散されないため、指向性が強いまま発光モジュール１０の外部へ放射される。そのため、見る角度によっては、赤色ＬＥＤ１２２が発した光が弱くなり、赤色ＬＥＤ１２２が配置された発光モジュール１０の部分が暗く見える場合がある。特に、複数の青色ＬＥＤ１２１および複数の赤色ＬＥＤ１２２が配置される基板１１０上の領域の端に、赤色ＬＥＤ１２２が配置された場合、その周辺では、青色ＬＥＤ１２１から放射される光が少なくなるため、見る角度によっては、その部分が暗く見える場合がある。
【００５４】
そこで、本実施形態における発光モジュール１０では、複数の青色ＬＥＤ１２１および複数の赤色ＬＥＤ１２２が配置される基板１１０上の領域の近くに堰止め部材１３０が配置されている。これにより、複数の青色ＬＥＤ１２１および複数の赤色ＬＥＤ１２２が配置される基板１１０上の領域の端に赤色ＬＥＤ１２２が配置された場合であっても、赤色ＬＥＤ１２２が発した光の一部が、堰止め部材１３０の内壁に反射して外部へ放射される。そのため、赤色ＬＥＤ１２２の周辺をより明るく見えるようにすることができる。
【００５５】
図６は、実施形態に係る発光モジュールが発する光の放射方向を説明するための概念図である。図６は、図２のＣ−Ｃ断面の一部を拡大したものである。例えば、図６に示すように、本実施形態における発光モジュール１０では、複数の青色ＬＥＤ１２１および複数の赤色ＬＥＤ１２２が配置される基板１１０上の領域の近くに堰止め部材１３０を配置した結果、堰止め部材１３０の少なくとも一部が、配線パターン１５２の上に配置されている。図６には示されていないが、配線パターン１５１側においても、同様に、堰止め部材１３０の少なくとも一部が、配線パターン１５１の上に配置されている。
【００５６】
本実施形態では、複数の青色ＬＥＤ１２１および複数の赤色ＬＥＤ１２２を不規則に配置するため、複数の青色ＬＥＤ１２１および複数の赤色ＬＥＤ１２２が配置される基板１１０上の領域の端に赤色ＬＥＤ１２２が配置される場合がある。しかし、そのような場合であっても、複数の青色ＬＥＤ１２１および複数の赤色ＬＥＤ１２２が配置される基板１１０上の領域の近くに堰止め部材１３０が配置されることにより、赤色ＬＥＤ１２２が配置された発光モジュール１０の部分が暗く見えることを防止することができる。
【００５７】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００５８】
１  照明装置
１０  発光モジュール
１２１  青色ＬＥＤ
１２２  赤色ＬＥＤ
【図１】
2015050205.tif 000003
【図２】
2015050205.tif 000004
【図３】
2015050205.tif 000005
【図４】
2015050205.tif 000006
【図５】
2015050205.tif 000007
【図６】
2015050205.tif 000008